(57)【要約】      （修正有）【課題】スタンドや付属品の組み立て作業を行うことが可能であり、しかも、組み立て作業やスタンドを取り付け高さ調節する高さ調節作業等を行うに際してもディスプレイ装置やスタンドに損傷を与えるようなことがないディスプレイ装置用の梱包箱を提供する。【解決手段】梱包箱１は、上面１ａと下面１ｂと四周側面１ｃ〜１ｆとからなり、四周側面１ｃ〜１ｆの一側面１ｆには、その一側面１ｆを拡開する拡開手段２を有し、梱包箱１には、ディスプレイのフロントパネル面よりも広い平面部を有する第１の中敷Ｎ１とこの第１の中敷Ｎ１を梱包箱内で所定高さで水平に保持する保持用の緩衝材Ｋ６，Ｋ６が少なくとも収納されている。そして、ディスプレイ装置Ｌがベース部材Ｓ１とディスプレイ装置Ｌの高さを調整する高さ調整部材Ｓ２を有するスタンドＳを備え、梱包箱１には、スタンドＳのベース部材Ｓ１を支持するための外部取り出し用の緩衝材Ｋ４が収納されている。【選択図】図１
0003117473.tif 000002
【実用新案登録請求の範囲】
【請求項１】
液晶テレビ、プラズマテレビやコンピュータ等のディスプレイ装置を梱包するディスプレイ装置用の梱包箱であって、梱包箱は、上面と下面と四周側面とからなり、四周側面の一側面には、その一側面を拡開する拡開手段を有し、梱包箱には、ディスプレイのフロントパネル面よりも広い平面部を有する第１の中敷とこの第１の中敷を梱包箱内で所定高さで水平に保持する保持用の緩衝材が少なくとも収納されていることを特徴とするディスプレイ装置用の梱包箱。
【請求項２】
前記ディスプレイ装置は、ベース部材とディスプレイ装置の高さを調整する高さ調整部材を有するスタンドを備え、梱包箱には、上記スタンドのベース部材を支持するための外部取り出し用の緩衝材が収納されていることを特徴とする請求項１記載のディスプレイ装置用の梱包箱。
【請求項３】
前記外部取り出し用の緩衝材に、前記スタンドのベース部材を嵌合させる溝が形成されていることを特徴とする請求項２記載のディスプレイ装置用の梱包箱。
【請求項４】
梱包箱内に、前記保持用の緩衝材の高さを高くする高さ調節用の緩衝材が配されるか、又は、高さ調節用の第２の中敷が収納されていることを特徴とする請求項１記載のディスプレイ装置用の梱包箱。
【考案の詳細な説明】
【技術分野】
【０００１】
本考案は、液晶テレビ、プラズマテレビやコンピュータ等のディスプレイ装置用の梱包箱であって、特に比較的大きなフロントパネルを有する大型のディスプレイ装置の搬送と組み立てに使用されて好適なディスプレイ装置用の梱包箱に関する。
【背景技術】
【０００２】
従来、テレビや冷蔵庫等の電気製品やパーソナルコンピュータやディスプレイ装置等の電子機器を運搬するには段ボール製の梱包箱が多く使用されている。これら電気製品や電子機器の中でもテレビは近年大型化の傾向にあり、５０インチ以上のプラズマテレビが販売されるとともに、液晶テレビにおいても３０インチ程度のものは勿論、４０インチから５０インチ程度のも大きさのものまで販売されるようになっている。また、近年のパーソナルコンピュータのディスプレイ装置も大型化の傾向にある。
【０００３】
このようなディスプレイ装置の運搬や取り出しを容易にするために、特許文献１が既に開示されている。特許文献１は、大型テレビ等の重量のある家電品を持ち上げることなく正面より前方に移動させて取り出しできるようにした包装箱であり、四周側面の一側面にジッパ式のミシン目を入れておき、その一側面の開口を容易にして重量のあるテレビなどを取り出すものである。一方、特許文献２は、側壁及び端壁の上下縁に側フラップ及び端フラップをそれぞれ備えた包装箱において、側壁に縦折線を、側フラップに切離線を連続して設け、側フラップを切離線沿いに切断し、側壁を縦折線沿いに屈曲させて多角形の周壁をなし、支持材及び底パッドを内挿して保形することにより、底パッド上に商品を盛り上げて展示できるようにした包装展示兼用箱が開示されている。このため、底パッドにテレビを置くようにすることも不可能ではない。
【特許文献１】特開平０９−００２４５５号公報
【特許文献２】特開２００２−０３７２４５号公報
【考案の開示】
【考案が解決しようとする課題】
【０００４】
ところで、梱包箱から大型化のディスプレイ装置を取り出すに際しては、腰を低く屈めるようにしなくとも取り出されるようにするとともに、素早く組み立てることが望まれる。また、ディスプレイ装置の中には、スタンドや付属品を備え、これらをディスプレイ装置を取り出してから組み立てる必要があるものも多い。組み立て作業等は、床面上で直接行っているのが現状であるが、床面上で組み立て作業等を行うと、ディスプレイ装置やスタンドに損傷を与えることなく行われることが望まれる。そして、大型の傾向にあるディスプレイ装置であっても、取り出し作業やスタンドや付属品の組み立てをできるだけ少ない人数で行われることが効率的である。
【０００５】
しかしながら、特許文献１は、スタンドや付属品の組み立ては、ディスプレイ装置を段ボール箱から取り出して行うものと考えられ、また、梱包箱の一側面を開口してそのまま重量のあるテレビ等を引きずり出すものであり、テレビ等の損傷のおそれを有する。特許文献２は、包装箱を盛り上げ用の展示台として利用できるようにするものであり、お菓子等を対象とするものであり、ディスプレイ装置を対象とするものではなく、しかも、スタンドや付属品をディスプレイ装置を取り出してから組み立てていくときに使用されるものでもない。
【０００６】
そこで、本考案の目的は、ディスプレイ装置を容易に素早く取り出すことできるとともに、スタンドや付属品の組み立て作業も行うことが可能であり、しかも、組み立て作業やスタンドを取り付け高さ調節する高さ調節作業等を行うに際してもディスプレイ装置やスタンドに損傷を与えるようなことがないディスプレイ装置用の梱包箱を提供することにある。
【課題を解決するための手段】
【０００７】
上記課題を解決するために、本考案の請求項１のディスプレイ装置用の梱包箱は、液晶テレビ、プラズマテレビやコンピュータ等のディスプレイ装置を梱包するディスプレイ装置用の梱包箱であって、梱包箱は、上面と下面と四周側面とからなり、四周側面の一側面には、その一側面を拡開する拡開手段を有し、梱包箱には、ディスプレイのフロントパネル面よりも広い平面部を有する第１の中敷とこの第１の中敷を梱包箱内で所定高さで水平に保持する保持用の緩衝材が少なくとも収納されていることを特徴とする。
【０００８】
本考案によれば、ディスプレイ装置の取り出しに際して、梱包箱の上面を拡開するとともに、四周側面の一側面を拡開手段により拡開させてから、ディスプレイ装置を一側面側に起立させると、つまり寝かされるように梱包箱に収納されていたディスプレイ装置をその脚部側を支点として垂直になるように起立させると、ディスプレイ装置を梱包箱から容易に素早く取り出すことができる。そして、梱包箱には、ディスプレイのフロントパネル面よりも広い平面部を有する第１の中敷とこの第１の中敷を梱包箱内で所定高さで水平に保持する保持用の緩衝材が少なくとも収納されていることから、ディスプレイ装置にスタンドや付属部品を取り付けたり、これらの位置を調節したり、ディスプレイ装置の損傷等の確認の作業を行うに際しては、ディスプレイ装置を所定の高さに保持された状態で、つまり第１の中敷を水平な作業台として使用することができるので、作業者は、腰を低く屈める姿勢にならなくともディスプレイ装置に対する作業を行うことができる。
【０００９】
本考案の請求項２のディスプレイ装置用の梱包箱は、請求項１記載の考案を前提として、前記ディスプレイ装置がベース部材とディスプレイ装置の高さを調整する高さ調整部材を有するスタンドを備え、梱包箱には、上記スタンドのベース部材を支持するための外部取り出し用の緩衝材が収納されていることを特徴とする。
【００１０】
この考案によれば、上記スタンドのベース部材を支持するための外部取り出し用の緩衝材が収納されていることから、梱包箱から外部取り出し用の緩衝材を取り出し、上記スタンドのベース部材を支持させてから、高さ調整部材により高さの調節等をすることができる。つまり高さ調節するとき、ベース部材が外部にはみ出してベース部材がぐらついたり、重量物であるため床面に接することがあるが、外部取り出し用の緩衝材を使用することにより、このような事態を防止することができる。
【００１１】
本考案の請求項３のディスプレイ装置用の梱包箱は、請求項１記載の考案を前提として、前記外部取り出し用の緩衝材に前記スタンドのベース部材を嵌合させる溝が形成されていることを特徴とする。
【００１２】
この考案によれば、前記外部取り出し用の緩衝材の溝にスタンドのベース部材を嵌合させると、外部取り出し用の緩衝材に対してベース部材が確実に支持され、スタンドの高さの調節の際の安定性が確保されることとなる。
【００１３】
本考案の請求項４記載のディスプレイ装置用の梱包箱は、請求項１記載の考案を前提として、梱包箱内に、前記保持用の緩衝材の高さを高くする段重ね用の緩衝材が配されるか、又は高さ調節用の第２の中敷が収納されていることを特徴とする。
【００１４】
この考案によれば、第１の中敷だけでは低すぎて、腰を低く屈めなければならないような場合には、前記保持用の緩衝材の上に高さ調節用の緩衝材を配するか、又は、第２の中敷を第１の中敷の上に段重ね用の緩衝材を介して配する等して、第１の中敷の高さを調整することができる。なお、第２の中敷の梱包箱内での収納状態としては、前記ディスプレイ装置のフロントパネルを保護するものとして収納することができる。
【考案の効果】
【００１５】
この考案によれば、梱包箱の上面を拡開するとともに、四周側面の一側面を拡開手段により拡開させてから、ディスプレイ装置を一側面側に起立させると、ディスプレイ装置を梱包箱から容易に素早く取り出すことができる。そして、ディスプレイ装置にスタンドや付属部品を取り付けたり、これらの位置を調節したり、ディスプレイ装置の損傷等の確認の作業を行うに際しては、ディスプレイ装置を所定の高さに保持させた状態で、つまり第１の中敷を水平な作業台として使用することができるので、作業者は、腰を低く屈める姿勢にならなくともディスプレイ装置に対する作業を行うことが可能になる。
【考案を実施するための最良の形態】
【００１６】
以下、本考案の一実施の形態を図面を参照しながら説明する。
【００１７】
本実施の形態は、液晶テレビに本考案を適用したものであり、図１と図２に示すように、上面１ａと下面１ｂと四周側面１ｃ〜１ｆとからなる直方体形状を呈するディスプレイ装置用の梱包箱１であり、比較的大型の液晶テレビであるディスプレイ装置Ｌを梱包するものである。このディスプレイ装置Ｌは、上方に２６インチの大きさの液晶のフロントパネル面Ｌａを有し、下方にスピーカユニットが配される縦長のものである。このディスプレイ装置Ｌは、その背面側にスタンドＳが取り付けられている。スタンドＳは、円盤状のベース部材Ｓ１と、ディスプレイ装置Ｌの背面側と連結される高さ調節部材Ｓ２を有し、ディスプレイ装置Ｌの床面に対する高さを調節することができる構造を有し、梱包状態では、ディスプレイ装置Ｌの背面側Ｌ２に所定の位置で固定されている。
【００１８】
梱包箱１は、段ボール製のものであり、上面１ａと下面１ｂと四周側面１ｃ〜１ｆとからなる直方体形状を呈するものであり、四周側面１ｃ〜１ｆの各上側にフラップＦ１〜Ｆ４が連接され、これらのフラップＦ１〜Ｆ４を折り畳むようにすると上面１ａが形成されることになる。このような段ボール製の梱包箱１は、電気製品や電子製品等の運搬に一般的に多用されるものであり、四周側面１ｃ〜１ｆの各上側のフラップＦ１〜Ｆ４を開放すると、上面１ａが全面的に開口する。
【００１９】
梱包箱１の四周側面１ｃ〜１ｆの一側面１ｆには、その一側面１ｆを拡開する拡開手段２を有している。この拡開手段２は、上記一側面１ｆの左右両端部側において平行に一対形成されるジッパー式のミシン目である。すなわち、対向する一対のミシン目を有し、所定幅で開口される。このジッパー式のミシン目は、上記一側面１ｆの上下の角部に入れられた大きな切れ目（切断線）によって長さ方向の切断が行われる。このような拡開手段２としては、上記一側面１ｆを広く開放できることが好ましい。また、上記一側面１ｆから開口して、これと連続して上記上面１ａまで開口するようにすることも可能である。
【００２０】
梱包箱１には、第１の中敷Ｎ１と、緩衝材Ｋ４〜Ｋ７が収納されている。第１の中敷Ｎ１は、スタンドＳの高さ調節や付属品を取り付ける際の作業台の役割を果たすほかに、ディスプレイ装置Ｌのフロントパネル面Ｌａを保護する役割も有するものであり、長方形状の段ボール製であり、長方形状の外周にフラップＮａを有するとともに、上記一側面１ｆ側には、付属品収納箱Ｋ１を介在させる折り曲げ片Ｎｆを有し、全体的には断面凹状の上向きで収納される。なお、水平な作業台として使用するときは、この断面凹状を下向きにするとともに、折り曲げ片Ｎｆをディスプレイ装置Ｌの頭部側にして使用する（図６）。そして、梱包状態では、ディスプレイ装置Ｌの上にフロントパネル面Ｌａを保護するように配されており、その平面部Ｎｐはディスプレイ装置Ｌのフロントパネル面より大きく（図１、図３）、これを作業台として使用するときは、保持用の緩衝材Ｋ４〜Ｋ６により梱包箱１の内で所定高さに水平に保持される（図１、図８）。また、第１の中敷Ｎ１には、一側面側１ｆにフラップＮａを有して、上記スタンドＳのベース部材Ｓ１が上記拡開手段２を有する一側面側１ｆに位置するように上記フラップＮａに付属品収納箱Ｋ１を介在させるようにして収納されている。ここで、図９に示す他の実施の形態のように、第２の中敷Ｎ２やこれを保持する段重ね用の緩衝材（図示せず）を梱包箱１に収納して、第１の中敷１の上に段重ね用の緩衝材を介して第２の中敷Ｎ２が段重ねされるようにすると上記作業台としての高さを更に高くすることが可能である。また、上記段重ね用の緩衝材Ｋ７を保持用の緩衝材Ｋ４〜Ｋ６と組み合わせて、これらの高さを高くする高さ調節用の緩衝材とすることによっても、上記水平な作業台としての高さを更に高くすることが可能である。
【００２１】
ディスプレイ装置Ｌの外周には、所定数の緩衝材Ｋ４〜Ｋ６が収納され、ディスプレイ装置Ｌが梱包箱１との間で固く保持されている。梱包状態では、緩衝材Ｋ４が上方角部に配され、緩衝材Ｋ６が下方角部に配され、これらの間に緩衝材Ｋ５が配され、ディスプレイ装置Ｌの外周枠を固定して収納されている。また、所定数の緩衝材Ｋ４〜Ｋ６のうちでも、ディスプレイ装置Ｌの上方側角部に配置される緩衝材Ｋ４は、外部取り出し用の緩衝材Ｋ４として、つまりスタンドＳのベース部材Ｓ１を支持するための緩衝材Ｋ４として使用される。外部取り出し用の緩衝材Ｋ４は、断面がＬ字状を呈して（上壁と下壁を有するＬ字状）、このＬ字状の下壁にディスプレイ装置Ｌの外枠を支持する段差部Ｋａが形成されるとともに、この外部取り出し用の緩衝材Ｋ４を二つ重ね合わせるようにして、スタンドＳのベース部材Ｓ１を支持するために、互いに重ね合わせ易い構造になっている（図１）。また、前記外部取り出し用の緩衝材Ｋ４に前記スタンドＳのベース部材Ｓ１を嵌合させる円弧状の溝ｍが形成されている（図１）。このため、ベース部材Ｓ１が確実に溝ｍに嵌合するように支持され、スタンドＳ１の高さの調節の際の安定性が確保されることとなる。なお、このような外部取り出し用の緩衝材Ｋ４としての役割は、他の緩衝材Ｋ５・Ｋ６にその役割を担わせることも可能である。
【００２２】
次に、本実施の形態のディスプレイ用の梱包箱１を使用して、ディスプレイ装置Ｌを取り出す取り出し方について説明する。なお、本実施の形態では、プラズマテレビやコンピュータ等のディスプレイ装置Ｌは、ビニール袋に覆われており、そのフロントパネル面Ｌａを第１の中敷Ｎ１に対してフロントパネルＬａを上向きにして寝かせるように収納されているものとして説明する。
【００２３】
まず、図２の梱包された状態から、梱包箱１の上面１ａを拡開した後、第１の中敷Ｎ１を除去する（図３）。すなわち、四周側面１ｃ〜１ｆの各フラップＦ１〜Ｆ４を開いた後、第１の中敷Ｎ１を除去する。次に、四周側面１ｃ〜１ｆの一側面１ｆを左右の一対のジッパー式のミシン目である拡開手段２により拡開して、上記一側面１ｆがフラップＦ１を伴って開放されるようにする。拡開手段２によって一側面１ｆを拡開すると、その左右端部に残り片２ａを残して開口される（図４）。
【００２４】
このようにして、上面１ａから一側面１ｆが開放させてから、スタンドＳを有するディスプレイ装置Ｌを上記一側面側１ｆに起立させる（図５）。つまり、作業者がディスプレイ装置Ｌのフロントパネル側を持ち、ベース部材Ｓ１側を支点として９０度回動させるようにして起立させると、腰を低く屈めなくとも容易に素早く取り出し作業を行うことができる。このとき、覆われているビニールを除去してからディスプレイ装置Ｌを起立させても良いが、ビニールで覆われた状態のままディスプレイ装置Ｌを起立させても良い。また、この起立動作の際は、ベース部材Ｓ１が損傷するような事態を防止するために、上記緩衝材Ｋ６とともに起立させると良い。そして、ディスプレイ装置ＬのスタンドＳのベース部材Ｓ１を上記一側面１ｆやそのフラップＦ１の上に位置するようにして起立させると、上記一側面１ｆやそのフラップＦ１が下敷きとなってベース部材Ｓ１の損傷や床面の傷つきなどが防止される。なお、この起立状態にさせた後、ディスプレイ装置Ｌの上方角部に配されていた緩衝材Ｋ４を２つ取り出して、一つに重ね合わせるようにして、上記フラップＦ１の上に置いておくと良い（図７）。ここで、通常２６インチ程度の液晶テレビでは、二人作業が推奨されているが、上記取り出し方にすれば、一人でも容易に損傷させることなく取り出すことが可能である。
【００２５】
次に、取り出していた第１の中敷Ｎ１を保持用の緩衝材Ｋ４〜Ｋ６の上に第１の中敷Ｎ１を敷き詰める（緩衝材Ｋ４を外部取り出し用に使用した場合は、緩衝材Ｋ５，Ｋ６を使用する。つまり、外部取り出し用の緩衝材Ｋ４としての役割は、他の緩衝材Ｋ５・Ｋ６にその役割を担わせることも可能である。）。このとき第１の中敷Ｎ１のフラップＮａが保持用の緩衝材Ｋ４〜Ｋ６のＬ字状の内周面側（Ｌ字状の上方側Ｋｂ）に位置させて、保持用の緩衝材Ｋ４〜Ｋ６を介してフラップＮａが梱包箱１の内周面に押し付けるようにして位置ずれを防止するか、又は、上記フラップＮａを保持用の緩衝材Ｋ４〜Ｋ６の外側に配するか、又は、Ｌ字状の保持用の緩衝材Ｋ４〜Ｋ６の上面に第１の中敷Ｎ１のフラップＮａを外部に出すようにして取り付けるかする。このようにしてから、ディスプレイ装置Ｌを回転させて、ディスプレイ装置Ｌの背面側Ｌ２が第１の中敷Ｎ１の上に伏せるようにする（図５、図６）。ここで、第１の中敷Ｎ１だけでは高さが低い場合には、図９に示すように、上記第２の中敷Ｎ２や高さ調節用の緩衝材Ｋ７を保持用の緩衝材Ｋ４〜Ｋ６の上に組み合わせる等して高さの高い水平な作業台とする。このような適度な高さの作業台としてから、ディスプレイ装置Ｌを回転させて、ディスプレイ装置Ｌの背面側Ｌ２が上になるようにして伏せるようにする（図７）。
【００２６】
そして、高さ調節部材Ｓ２を使用して、スタンドＳの高さ（長さ）を調節する（図８）。つまり、ディスプレイ装置Ｌの背面側Ｌ２における高さ調節部材Ｓ２によりスタンドＳの長さ等を調節する。スタンドＳの長さ等を調節するとき、ねじなどを取り外すことによりスタンドＳが高さ調節部材Ｓ２から分離しベース部材Ｓ１がぐらついたり、重量物であるために床面に接することがあるが、外部取り出し用の緩衝材Ｋ４の円弧状の溝ｍに円盤状のベース部材Ｓ２を嵌合させて支持させることで（図１）、このような事態を防止する。外部取り出し用の緩衝材Ｋ４は、上記一側面１ｆやそのフラップＦ１の上に配して、高さ調整部材Ｓ２を有するスタンドＳを引き出すときにこれと伴って引き出すようにすれば、ベース部材Ｓ１を損傷させることなくスタンドＳの長さ調節が可能である。このようにしてスタンドＳの長さ調節や付属品の取付が終了した場合には、ディスプレイ装置Ｌを梱包箱１の一側面側１ｆに再度起立させることで、取り出しと組み立て作業が完了する。
【００２７】
ここで、ディスプレイ装置Ｌの当初の梱包状態としては、ディスプレイ装置Ｌのフロントパネル面Ｌａを第１の中敷Ｎ１に伏せるようにして収納させておくことも可能であり、この場合は、起立動作させて反転させるような必要はなく、第１の中敷Ｎ１を作業台として、スタンドＳの長さ調節や付属品の取付けをそのまま行うことができる。なお、第１の中敷Ｎ１と第２の中敷Ｎ２により、ディスプレイ装置Ｌの表裏を挟むように保護した状態で、梱包箱１に収納させることも可能である。
【００２８】
また、第１の中敷Ｎ１の上面側等のような作業者の目に付きやすい場所に、梱包箱１の開放の順序を説明する説明書を入れる、もしくはフラップＦ２に梱包箱１の開放手順を印刷することで組み立ての作業の利便性を向上させることが可能である。梱包箱を開放する順序としては、図示するように（図２から図８において丸数字で示す。）、所定箇所に順番を付するようにしておくことでも組み立ての作業の利便性を向上させることが可能である。
【図面の簡単な説明】
【００２９】
【図１】本考案の一の実施の形態のディスプレイ装置用の梱包箱を示す斜視図である。
【図２】本考案の一の実施の形態のディスプレイ装置用の梱包箱の開口する順序を説明する図であり、開口する前の状態を説明する斜視図である。
【図３】本考案の一の実施の形態のディスプレイ装置用の梱包箱の開口する順序を説明する図であり、第２の中敷を取り外す状態の斜視図である。
【図４】本考案の一の実施の形態のディスプレイ装置用の梱包箱の開口する順序を説明する図であり、四周側面の一側面を開口する状態の斜視図である。
【図５】本考案の一の実施の形態のディスプレイ装置用の梱包箱の開口する順序を説明する図であり、ディスプレイ装置を起立させる状態の斜視図である。
【図６】本考案の一の実施の形態のディスプレイ装置用の梱包箱の開口する順序を説明する図であり、ディスプレイ装置を反転させる状態の斜視図である。
【図７】本考案の一の実施の形態のディスプレイ装置用の梱包箱の開口する順序を説明する図であり、起立させたディスプレイ装置を寝かせる状態の斜視図である。
【図８】本考案の一の実施の形態のディスプレイ装置用の梱包箱の開口する順序を説明する図であり、寝かせたディスプレイ装置のスタンドの高さ調節を行う状態の斜視図である。
【図９】本考案の他の実施の形態のディスプレイ装置用の梱包箱を示す斜視図である。
【符号の説明】
【００３０】
１      ディスプレイ装置用の梱包箱、
１ａ   上面、１ｂ 下面、１ｃ〜１ｆ 四周側面、１ｆ  一側面、
２     拡開手段、
Ｆ１〜Ｆ４ フラップ、
Ｋ４〜Ｋ７ 緩衝材、Ｋ４ 外部取り出し用の緩衝材、Ｋ４〜Ｆ６
保持用の緩衝材、
Ｋ７   高さ調節用の緩衝材（段重ね用の緩衝材）、
Ｋａ   段差部、Ｋｂ Ｌ字状の上方側、
Ｌ     ディスプレイ装置、Ｌａ  フロントパネル面、Ｌ２  背面、
ｍ      溝、
Ｎ１   第１の中敷、Ｎ２  第２の中敷、Ｎａ  フラップ、
Ｓ     スタンド、Ｓ１、ベース部材、Ｓ２ 高さ調節部材、
【図１】
0003117473.tif 000003
【図２】
0003117473.tif 000004
【図３】
0003117473.tif 000005
【図４】
0003117473.tif 000006
【図５】
0003117473.tif 000007
【図６】
0003117473.tif 000008
【図７】
0003117473.tif 000009
【図８】
0003117473.tif 000010
【図９】
0003117473.tif 000011